(57)【特許請求の範囲】
【請求項１】
印字装置本体に本体カバーを備え、その本体カバーに連結するアームを設け、そのアームにシャッタ開閉部材を備えるとともにシャッタ上下動案内部を設ける一方、
前記印刷装置本体内に収納する一部を１つのケース内に納めるプロセスカートリッジを前記印字装置本体内に着脱自在に装填し、
そのプロセスカートリッジの光書込み側開口部を覆う部分と転写側開口部を覆う部分とを一体に形成して前記プロセスカートリッジに前記ケースの開口部を開閉するシャッタを備え、そのシャッタを前記プロセスカートリッジの支軸を中心として前記ケースに回動可能に装着するとともに、前記プロセスカートリッジのケースに対し一定範囲内で上下動可能とし、そのシャッタ自身の支軸にギアを設け、
そのギヤが前記印字装置本体の前記シャッタ開閉部材と噛み合って前記印字装置本体の本体カバーの開閉にともない前記シャッタを回動して開閉し、前記本体カバーを開くとき前記シャッタを閉じる方向に回動するとともに、前記シャッタ上下動案内部により、前記本体カバーの開閉にともない前記シャッタを上下動させ、前記本体カバーを開くとき前記シャッタを下方へ移動する、
ことを特徴とする、電子写真式印刷装置。
【請求項２】
前記シャッタに、下方へ移動した該シャッタの上方への移動を抑制するシャッタ上動抑制部を設けることを特徴とする、請求項１に記載の電子写真式印刷装置。
【請求項３】
前記シャッタが下方に移動したとき、そのリブが前記プロセスカートリッジのケースの周縁と係合して前記ケースの開口部が密閉されることを特徴とする、請求項１、または２に記載の電子写真式印刷装置。
【請求項４】
前記シャッタで閉じられる前記ケースの開口部の周縁に発泡材を貼り付けることを特徴とする、請求項３に記載の電子写真式印刷装置。
【発明の詳細な説明】
【０００１】
【発明の属する技術分野】
この発明は、電子写真式の複写機・プリンタ・ファクシミリやそれらの複合機などの電子写真式印刷装置、特に、トナー収納部、現像部、感光体、帯電部、クリーニング部等の全部または一部を１つのケース内に納めたプロセスカートリッジを用い、これを装置本体外に取り出したときには、そのケースの開口部を開閉するシャッタで覆って光を遮断したり内部を保護したりする電子写真式印刷装置に関する。
【０００２】
【従来の技術】
従来、一般にレーザプリンタなどでは、プロセスカートリッジを単体で扱うときに、感光体等が露出しないようにプロセスカートリッジにシャッタを備えている。このシャッタは、プロセスカートリッジをプリンタ本体内に設置後、本体カバーの開閉に応じて開閉する。このとき、通常はシャッタとともにバネを用い、その復元力にてシャッタを閉じるようにしている。
【０００３】
【発明が解決しようとする課題】
しかし、このような構造では、シャッタの開閉動作が不安定であるとともに、シャッタの組み付けが難しくなる問題点があった。
【０００４】
この発明の目的は、プロセスカートリッジのシャッタを本体カバーの開閉に応じて確実に開閉できるとともに、シャッタの組み付けが容易な電子写真式印刷装置を提供することにある。
【０００５】
【課題を解決するための手段】
この発明による電子写真式印刷装置は、印字装置本体１に本体カバー２を備え、その本体カバー２に連結するアーム３を設け、そのアーム３にラック２７等のシャッタ開閉部材を備えるとともに案内溝２６等のシャッタ上下動案内部を設ける一方、
前記印刷装置本体１内に収納する一部を１つのケース８内に納めるプロセスカートリッジ６を前記印字装置本体１内に着脱自在に装填し、
そのプロセスカートリッジ６の光書込み側開口部１５を覆う部分１９ａと転写側開口部１６を覆う部分１９ｂとを一体に形成して前記プロセスカートリッジ６に前記ケース８の開口部を開閉するシャッタ１９を備え、そのシャッタ１９を前記プロセスカートリッジ６の支軸１８を中心として前記ケース８に回動可能に装着するとともに、前記プロセスカートリッジ６のケース８に対し一定範囲内で上下動可能とし、そのシャッタ１９自身の支軸２２にギア２１を設け、
そのギヤ２１が前記印字装置本体１の前記シャッタ開閉部材と噛み合って前記印字装置本体１の本体カバー２の開閉にともない前記シャッタ１９を回動して開閉し、前記本体カバー２を開くとき前記シャッタ１９を閉じる方向に回動するとともに、前記シャッタ上下動案内部により、前記本体カバー２の開閉にともない前記シャッタ１９を上下動させ、前記本体カバー２を開くとき前記シャッタ１９を下方へ移動する、
ことを特徴とする。
【０００６】
このような構造によると、シャッタ１９は、そのギア２１が装置本体１側のシャッタ開閉部材と噛み合い、装置本体１の本体カバー２の開閉にともない支軸２２を中心として回動するので、バネを用いなくとも本体カバー２の開閉に応じて開閉する。
【０００９】
シャッタ１９に、下方へ移動したシャッタ１９の上方への移動を抑制するシャッタ上動抑制部２４を設けると、プロセスカートリッジ６を装置本体１外に取り出した後のシャッタ１９の不用意な開放を防止できる。
【００１０】
シャッタ１９が下方に移動したとき、そのリブ２５がプロセスカートリッジ６のケース８の周縁と係合して該ケース８の開口部１５・１６が密閉されるようにすると、シャッタ１９によるプロセスカートリッジ６内部の保護がより確実になるとともに、シャッタ１９の不用意な開放をより確実に防止できる。
【００１１】
シャッタ１９で閉じられるケース８の開口部１５・１６の周縁に発泡材１５ａ・１６ａを貼り付ければ、密閉性がより高くなる。
【００１２】
【発明の実施の形態】
次に、この発明の実施の形態を図面に基づいて詳述する。
【００１３】
図１は、この発明による電子写真式印刷装置の一例である電子写真式プリンタの側面図である。その図１中符号１で示すプリンタ本体は、正面に本体カバー２を設け、その本体カバー２を上下に開閉できるようにしている。
【００１４】
図２（プリンタ内部の概要図）において、本体カバー２には、その両側にアーム３が連結され、これらアーム３は、本体フレーム４に設けられたガイド５に沿って移動可能となっている。プロセスカートリッジ６は、本体カバー２の開閉に応じて両側のアーム３に後述のように案内されながらプリンタ本体１に対して着脱される。プリンタ本体１内には、光学ユニット７等が設置されている。
【００１５】
プロセスカートリッジ６は、図３に示すように、そのケース８内に、トナー収納部９を形成するとともに、感光体１０と現像スリーブ１１と帯電ローラ１２とクリーニングブレード１３とを内蔵している。そして、感光体１０を挟んで、その片側には光書込み側開口部１５、反対側には転写側開口部１６が形成されている。
【００１６】
図４（プロセスカートリッジとシャッタとアームの分解斜視図）および図５（プロセスカートリッジとシャッタの分解斜視図）に示すように、ケース８の上壁は、中央が凹部１７となっており、この凹部１７の両側においてケース８の両側面に支軸１８が突設されている。この支軸１８を用い、シャッタ１９がケース８に後述のように着脱可能に装着される。光書込み側開口部１５の口縁および転写側開口部１６の口縁には、それぞれ発泡材１５ａ・１６ａが貼り付けられている。
【００１７】
シャッタ１９は、ケース８の光書込み側開口部１５を覆う部分１９ａと、転写側開口部１６を覆う部分１９ｂとを一体に形成した断面逆Ｕ字形で、開口部１５を覆う部分１９ａの両側下端にシャッタ側ガイド２０を一体に設けている。そして、これらシャッタ側ガイド２０の外側面に、ギア２１を有する支軸２２を設けるとともに、両シャッタ側ガイド２０の内側面に縦長の案内溝２３をそれぞれ設け、この案内溝２３の上端部に、突起によるシャッタ上動抑制部２４を形成している。また、転写側開口部１６を覆う部分１９ｂの両端縁に、転写側開口部１６の口縁と係合するリブ２５を一体に形成している。
【００１８】
そして、シャッタ１９は、その両側のシャッタ側ガイド２０の案内溝２３とプロセスカートリッジ６の両側の支軸１８とを嵌め合わすことにより、この支軸１８を中心としてプロセスカートリッジ６に回動可能に、かつ案内溝２３の長さ範囲内でプロセスカートリッジ６に対し上下動可能に装着される。
【００１９】
一方、プリンタ本体１側の両アーム３には、シャッタ１９の両側の支軸２２を移動自在に嵌合させることができる横長の案内溝２６と、下向きの歯に、ギア２１を噛み合わすことができるラック２７とが設けられている。両案内溝２６は、アーム３の先端からやや上向きに傾斜する前側部分２６ａと、そこから上側に湾曲する中間部分２６ｂと、ほぼ真っ直ぐのびる後側部分２６ｃとからなる。両ラック２７は、案内溝２６の後側部分２６ｃより上方においてそれと平行に延びている。
【００２０】
シャッタ１９を上記のように装着したプロセスカートリッジ６は、プリンタ本体１内に取り付け後、その本体カバー２の開閉にともない、両アーム３のラック２７をシャッタ開閉部材としてこれによりシャッタ１９を回動して開閉されながら、また同時に両アーム３の案内溝２６をシャッタ上下動案内部として上下動しながら、プリンタ本体１に対し着脱されるもので、次にその動作について説明する。
【００２１】
プロセスカートリッジ６は、プリンタ本体１から取り出したときには、図６に示すようにシャッタ１９が閉じた状態となっている。このとき、図５に示したシャッタ１９の両端縁のリブ２５がケース８の転写側開口部１６の口縁と係合するとともに、プロセスカートリッジ６の両側の支軸１８が図５に示した案内溝２３の突起を上側に越えてシャッタ上動抑制部２４に嵌合し、シャッタ１９は、回動を規制されて不用意に開放できないようになっている。また、光書込み側開口部１５および転写側開口部１６は、その口縁にそれぞれ発泡材１５ａ・１６ａが貼り付けられているので密封される。
【００２２】
プロセスカートリッジ６をプリンタ本体１内に装填するには、図７に示すように、シャッタ１９の両側の支軸２２を両アーム３の案内溝２６の先端から嵌め合わし、本体カバー２を持ち上げながら閉じていくと、両側の支軸２２を両側の案内溝２６に沿って移動し、プロセスカートリッジ６が両アーム３に案内されてプリンタ本体１内へ入っていく。
【００２３】
図８に示すように、シャッタ１９の両側の支軸２２が両アーム３の案内溝２６の湾曲した中間部分２６ｂを通ると、プロセスカートリッジ６の両側の支軸１８が、両側のシャッタ側ガイド２０の縦長の案内溝２３の突起を下側に越えてシャッタ１９がプロセスカートリッジ６に対して浮上し、回動が許容されるようになる。図９は、このときの状態をアーム３を省略して示す。
【００２４】
シャッタ１９の両側の支軸２２が両アーム３の案内溝２６の後側部分２６ｃにくると、ギア２１が両アーム３のラック２７と噛み合わすため、シャッタ１９がプロセスカートリッジ６の移動にともない開放する方向に回動し、図１０に示すようにシャッタ１９の両側の支軸２２が両アーム３の案内溝２６の後側部分２６ｃの終端に達して、プロセスカートリッジ６がプリンタ本体１内に入り込んだときには、シャッタ１９は完全に開放する。図１１は、このときの状態をアーム３を省略して示す。
【００２５】
本体カバー２を開いてプロセスカートリッジ６をプリンタ本体１から取り出すときは、シャッタ１９は上記とは逆の動きで閉じ、図６の状態に戻る。
【００２６】
なお、この発明は、上記のような電子写真式プリンタに限らず、電子写真式の複写機・ファクシミリやそれらの複合機など、その他の電子写真式印刷装置にも適用できる。
【００２７】
【発明の効果】
この発明によれば、シャッタのギアが装置本体側のシャッタ開閉部材と噛み合い、本体カバーの開閉にともないシャッタが支軸を中心として回動するので、バネを用いなくとも本体カバーの開閉に応じてシャッタを自動的に開閉できる。したがって、シャッタを本体カバーの開閉に応じて確実に開閉できるとともに、シャッタの組み付けが容易になる。
【００２８】
また、プロセスカートリッジの光書込み部と転写部とを１つのシャッタで同時に覆うことができる。
【００２９】
さらに、本体カバーを開くとき、シャッタがシャッタ開閉部材により閉じる方向に回動されるとともにシャッタ上下動案内部により下方へ移動されるので、シャッタの形状がたとえば断面逆Ｕ字形であっても、その開閉動作を確実に行える。
【００３０】
請求項２に記載の発明によれば、下方へ移動したシャッタの上方への移動を抑制できるので、プロセスカートリッジを装置本体外に取り出した後のシャッタの不用意な開放を防止できる。
【００３１】
請求項３に記載の発明によれば、シャッタが下方に移動したとき、そのリブがプロセスカートリッジのケースの周縁と係合して該ケースの開口部が密閉されるので、シャッタによるプロセスカートリッジ内部の保護がより確実になるとともに、シャッタの不用意な開放をより確実に防止できる。
【００３２】
請求項４に記載の発明によれば、シャッタで閉じられるケースの開口部の周縁に発泡材を貼り付けたので、密閉性がより高くなる。
【図面の簡単な説明】
【図１】この発明を適用する電子写真式プリンタの概要側面図である。
【図２】その電子写真式プリンタの内部の概要図である。
【図３】そのプリンタに備えるプロセスカートリッジの内部の概要図である。
【図４】そのプロセスカートリッジとシャッタとアームの分解斜視図である。
【図５】そのプロセスカートリッジとシャッタの分解斜視図である。
【図６】そのプリンタ本体外に取り出してシャッタが閉じた状態のプロセスカートリッジの斜視図である。
【図７】そのプロセスカートリッジをプリンタ本体内へ装填し始める状態の斜視図である。
【図８】そのプロセスカートリッジの装填途中の状態を示す斜視図である。
【図９】同上においてアームを省略した斜視図である。
【図１０】プロセスカートリッジを装填し終わった状態を示す斜視図である。
【図１１】同上においてアームを省略した斜視図である。
【符号の説明】
１      プリンタ本体（装置本体）
２      本体カバー
３      アーム
６      プロセスカートリッジ
８      ケース
１５    光書込み側開口部
１５ａ  発泡材
１６    転写側開口部
１６ａ  発泡材
１８    プロセスカートリッジの支軸
１９    シャッタ
１９ａ  光書込み側開口部を覆う部分
１９ｂ  転写側開口部を覆う部分
２０    シャッタ側ガイド
２１    ギア
２２    シャッタの支軸
２３    案内溝
２４    シャッタ上動抑制部
２５    リブ
２６    案内溝（シャッタ上下動案内部）
２７    ラック（シャッタ開閉部材）
【図１】
0003633771.tif 000002
【図２】
0003633771.tif 000003
【図３】
0003633771.tif 000004
【図４】
0003633771.tif 000005
【図５】
0003633771.tif 000006
【図６】
0003633771.tif 000007
【図７】
0003633771.tif 000008
【図８】
0003633771.tif 000009
【図９】
0003633771.tif 000010
【図１０】
0003633771.tif 000011
【図１１】
0003633771.tif 000012